(57)【要約】【課題】意匠性を向上させるための現場での作業負担を減らすとともに、長期間屋外に設置しても劣化し難く意匠性を維持することができる目隠し板を提供する。【解決手段】目隠し板１０は、屋外に設置され、塗装金属板１と、塗装金属板１の上にインクジェット印刷によって形成される印刷層２とを有し、印刷層２は活性光線硬化型カチオン重合性インキの硬化物によって形成されるとともに無機顔料を含有し、印刷層２には、無機顔料の発色により所定の模様が表される。また、印刷層２の上には、艶消し剤３ａ及び親水化剤を含有するクリア塗膜３が形成される。【選択図】図３
2018003429.tif 000002
【特許請求の範囲】
【請求項１】
屋外に設置される目隠し板であって、
金属製の基板と、
前記基板の上に形成されるとともに、無機顔料を含有する印刷層とを有し、
前記印刷層には前記無機顔料の発色により所定の模様が表される目隠し板。
【請求項２】
前記印刷層は、前記無機顔料を含有する活性光線硬化型のインキの硬化物である請求項１に記載の目隠し板。
【請求項３】
前記印刷層の上には、艶消し剤を含有するクリア塗膜が形成される請求項１又は２に記載の目隠し板。
【請求項４】
前記クリア塗膜は、さらに親水化剤を含有する請求項３に記載の目隠し板。
【請求項５】
前記基板には凹凸が形成される請求項１〜４のいずれか一項に記載の目隠し板。
【請求項６】
請求項２に記載の目隠し板を製造する方法であって、
前記基板の上に前記活性光線硬化型のインキをインクジェット印刷によって付着させ、その後、前記活性光線硬化型のインキに活性光線を照射して硬化させることにより、前記印刷層を形成する、目隠し板の製造方法。
【発明の詳細な説明】
【技術分野】
【０００１】
この発明は、屋外に設けられる目隠し板及びその製造方法に関する。
【背景技術】
【０００２】
建築現場において、作業とその周辺の安全を確保するために、また、通行人の視線から作業風景を遮り、周囲の景観が損なわれるのを防止するために、作業現場の周囲は複数の目隠し板によって形成される仮囲いで囲われる。また、建築作業の現場以外にも、駐輪場の周囲を覆ったり、室外機の周りを覆ったりするのに金属製の目隠し板が使用される。
【０００３】
ここで、従来の金属製の目隠し板は、モノトーンで光沢のあるものが一般的であり、周辺の環境と調和せず、景観を損なうおそれがあった。そこで、特許文献１には、意匠性を高めるために絵柄が印刷されたフィルムを貼り付けた仮囲い用の目隠し板が記載されている。
【先行技術文献】
【特許文献】
【０００４】
【特許文献１】特許公報第２６４０７１２号
【発明の概要】
【発明が解決しようとする課題】
【０００５】
しかしながら、特許文献１の目隠し板に貼られるフィルムは、屋外で風雨や日光の紫外線に晒されるうちに比較的に短期間で劣化したり、剥がれたりしてしまう可能性が高い。また、作業員がフィルムを現場で目隠し板に貼り付けなければならないため、その分手間がかかり、作業効率が悪いという問題もあった。
【０００６】
この発明は、このような問題を解決するためになされ、意匠性を向上させるための現場での作業負担を減らすとともに、長期間屋外に設置しても劣化し難く意匠性を維持することができる目隠し板を提供することを目的とする。
【課題を解決するための手段】
【０００７】
上記の課題を解決するために、この発明に係る目隠し板は、屋外に設置され、金属製の基板と、基板の上に形成されるとともに、無機顔料を含有する印刷層とを有し、印刷層には無機顔料の発色により所定の模様が表される。
【０００８】
また、この発明に係る目隠し板の印刷層は、無機顔料を含有する活性光線硬化型のインキの硬化物であってもよい。
【０００９】
また、印刷層の上には、艶消し剤を含有するクリア塗膜が形成されてもよく、クリア塗膜は、さらに親水化剤を含有してもよい。
【００１０】
また、基板には凹凸が形成されてもよい。
【００１１】
さらに、この発明に係る目隠し板の製造方法は、基板の上に活性光線硬化型のインキをインクジェット印刷によって付着させ、その後、活性光線硬化型のインキに活性光線を照射して硬化させることにより、印刷層を形成するものであってもよい。
【発明の効果】
【００１２】
この発明に係る目隠し板によれば、意匠性を向上させるための現場での作業負担を減らすとともに、長期間屋外に設置しても劣化し難く意匠性を維持することができる。
【図面の簡単な説明】
【００１３】
【図１】この発明の実施の形態に係る目隠し板を使用した仮囲いの斜視図である。
【図２】図２（ｉ）及び（ｉｉ）は、図１に示す目隠し板の表面に印刷される模様の具体例である。
【図３】図１に示す目隠し板の構成を模式的に示す図である。
【図４】この発明の別の実施の形態に係る目隠し板の構成を模式的に示す断面図である。
【発明を実施するための形態】
【００１４】
以下、この発明の実施の形態について添付図面に基づいて説明する。
図１のように、工事現場等を囲む仮囲い１００は、２〜３ｍの高さの複数の目隠し板１０によって構成される。目隠し板１０は幅方向に互いに連結されて設けられ、仮囲い１００の内側に設けられた支持機構５によって支持される。支持機構５は複数のパイプが連結されて構成され、地面に固定されるとともに、複数の目隠し板１０を仮囲い１００の内側から支持する。
なお、目隠し板とは、屋外に設けられ、通行人等の視線を遮ることができる囲いや柵に用いられる板をいう。
【００１５】
目隠し板１０の表面には、インクジェット印刷により、様々な模様や色彩が付される。例えば、目隠し板１０の表面には、図２（ｉ）に示すような木目調の模様が描かれたり、図２（ｉｉ）に示されるように、みかん等の果物Ｆが積み上げられて高さを表す模様が描かれたりする。また、この他にも、大理石調の模様や幾何学模様等が、周囲の環境に適宜合わせて目隠し板１０の表面に描かれていてもよい。
【００１６】
次に、図３を参照して目隠し板１０の詳細な構成について説明する。
目隠し板１０は、塗装金属板１と、塗装金属板１の上に形成される印刷層２と、印刷層２の上に形成されるクリア塗膜３とを有する。
なお、塗装金属板１は、金属製の基板を構成している。
また、塗装金属板１の厚さは特に限定されないが、通常、０．５〜１．６ｍｍである。
【００１７】
塗装金属板１は、高耐食めっき鋼板１ａの上にインキ受理層１ｂが形成されたものである。
ここで、塗装金属板１の高耐食めっき鋼板１ａは、例えば、溶融Ｚｎ−５５％Ａｌ合金めっき鋼板である。また、インキ受理層１ｂは、高耐食めっき鋼板１ａの上にロールコートによって形成される。このインキ受理層１ｂは、活性光線硬化型のインキを受理するための層である。インキ受理層１ｂは、マトリックスとなる樹脂を含む。ここで、マトリックスとなる樹脂の例には、ポリエステル、アクリル樹脂、ポリフッ化ビニリデン、ポリウレタン、エポキシ樹脂、ポリビニルアルコール、フェノール樹脂が含まれる。
【００１８】
さらに、活性光線硬化型のインキである活性光線硬化型カチオン重合性インキが、インクジェット印刷によってインキ受理層１ｂの上に付着させられる。そして、インキ受理層１ｂの表面に付着する活性光線硬化型カチオン重合性インキは、活性光線を照射されて硬化し、これにより印刷層２が形成される。すなわち、印刷層２は、塗装金属板１の上に形成される、活性光線硬化型カチオン重合性インキの硬化物である。
【００１９】
また、印刷層２は無機顔料を含有する。従って、印刷層２に含有される無機顔料の発色によって、図２に示すような所定の模様が目隠し板１０に表される。ここで、印刷層２に含まれる無機顔料の例としては、酸化物類、水酸化物類、硫化物類、フェロシアン化物類、クロム酸塩類、炭酸塩類、ケイ酸塩類、リン酸塩類、炭酸類及び金属粉類がある。
【００２０】
そして、印刷層２のさらに表面には、ロールコーティング又はスプレーによって透明なクリア塗膜３が形成される。
クリア塗膜３に用いられる塗料の例には、有機溶剤型塗料、水系塗料、粉体塗料が含まれる。また、これらの塗料に用いられる樹脂成分の例には、アクリル樹脂系、ポリエステル系、アルキド樹脂系、シリコーン変性アクリル樹脂系、シリコーン変性ポリエステル系、シリコーン樹脂系、フッ素樹脂系が含まれる。クリア塗膜３は、これらの塗料を印刷層２の表面に塗布し、乾燥又は硬化させることで形成される。
【００２１】
また、クリア塗膜３には、艶消し剤３ａが含まれる。艶消し剤３ａの例には、シリカ粒子、ガラス粒子、樹脂粒子などが含まれる。艶消し剤３ａの形状及び配合量は、クリア塗膜３の表面の意匠性及び防眩性が維持できれば、特に限定されない。たとえば、粒子状艶消し剤として、平均粒径２３μｍのポリアクリロニトリル（ＰＡＮ）粒子２〜５質量％と、平均粒径１５μｍのシリカ粒子３〜１０質量％とを併用することで、表面塗膜の表面粗度Ｒzを８〜２０μｍの範囲内とすることができる。
【００２２】
さらに、クリア塗膜３には、親水化剤が含まれる。親水化剤は、例えば、テトラアルコキシシランの部分加水分解縮合物であり、クリア塗膜３には、１０質量％以下の割合で含有される。またさらに、クリア塗膜３には、加工性及び対候性を向上させるために潤滑剤、紫外線吸収剤及び光安定剤が含まれる。
【００２３】
クリア塗膜３に含まれる潤滑剤は、目隠し板１０の加工性を高める、例えば、クリア塗膜３でのカジリの発生を防止する、観点から好ましい。潤滑剤の例には、フッ素系ワックス、ポリエチレン系ワックス、スチレン系ワックスおよびポリプロピレン系ワックスなどの有機ワックス、および、二硫化モリブデンやタルクなどの無機潤滑剤が含まれる。クリア塗膜３における潤滑剤の含有量は、例えば、０〜５質量％である。
【００２４】
以上より、この実施の形態に係る目隠し板１０では、金属製の基板である塗装金属板１の上に印刷層２が設けられ、印刷層２には無機顔料の発色によって様々な模様が表される。これにより、インクジェット等の印刷により直接、目隠し板１０に絵や模様を印刷することができるため、絵や模様が付されたフィルムを目隠し板１０の上に貼り付ける必要がない。従って、目隠し板１０に貼り付けたフィルムが剥がれたり劣化したりして、意匠性が損なわれるおそれがない。また、印刷層２は無機顔料によって着色されるため、有機顔料を用いる場合に比べて、紫外線等で劣化したり変退色したりし難く、対候性及び耐久性に優れている。また、目隠し板１０を現場に設置する前に模様や絵をあらかじめ印刷することができるので、現場で目隠し板１に一枚ずつフィルムを貼り付ける手間がなく、作業効率が向上する。
【００２５】
また、印刷層２は、無機顔料を含有する活性光線硬化型のインキの硬化物である。ここで、活性光線硬化型のインキは印刷直後の活性光線の照射によって瞬時に硬化して硬化物となるため、印刷層２において異なる色のインキが隣接する場合であっても色同士が混ざり難く、目隠し板１０には鮮明な模様や絵を表すことができる。
【００２６】
また、この実施の形態の目隠し板１０の製造方法では、印刷層２がインクジェット印刷により形成されている。ここで、目隠し板１０にフィルムを貼る場合は、模様や絵が表現できる領域はフィルムが貼られる箇所に限定されてしまうが、インクジェット印刷によって印刷層２を形成する場合、目隠し板１０の表面全体に模様や絵を描くことができる。
【００２７】
また、クリア塗膜３に艶消し剤３ａが含まれることにより、クリア塗膜３の表面は微細な凹凸が形成されて光沢が少ないマット状となり、目隠し板１０の防眩性が向上する。そのため、目隠し板１０の外観が周囲の景観とより調和することができる。
また、クリア塗膜３には、親水化剤が含まれる。従って、クリア塗膜３の表面には雨水が馴染みやすく、目隠し板１０に付着した雨水がクリア塗膜３の表面の汚れを浮き上がらせて洗い流すという効果があるため、雨筋汚れが抑制され、防汚性が向上する。
【００２８】
また、この発明に係る目隠し板は、平坦なものに限定されず、図４に示す目隠し板２０のようにエンボス加工が施された塗装金属板２１を有し、表面に凹凸が形成されるものであってもよい。
塗装金属板２１のエンボス加工は、たとえば、高低差ｄが０．５ｍｍ以上の凹凸模様を形成するものがあげられる。ここで、「高低差が０．５ｍｍ以上の凹凸模様」とは、塗装金属板２１の高低差ｄが０．５ｍｍ以上である凹凸を少なくとも１つ以上形成し、その凹凸が模様を構成していることを意味する。従って、高低差が０．５ｍｍ未満の凹凸が存在してもよく、これらの凹凸が組み合わされて、タイル調や木目調などの模様を塗装金属板２１が形成してもよい。
また、より意匠性の高い模様を形成する場合は、塗装金属板２１には高低差ｄが１．０ｍｍ以上の凹凸が形成されることが好ましく、１．５ｍｍ以上であることがさらに好ましい。
【００２９】
目隠し板２０の塗装金属板２１は、凹凸が形成される高耐食めっき鋼板２１ａと、高耐食めっき鋼板２１ａの表面に形成されるインキ受理層２１ｂとを有する。さらに、塗装金属板２１の上には、目隠し板１０と同様に、印刷層２及びクリア塗膜３が、順次形成されている。
【００３０】
このように、金属製の塗装金属板２１に凹凸が形成されていた場合であっても、図４に示すように、塗装金属板２１の凹凸の形状に合わせて印刷層２及びクリア塗膜３を形成することができる。そのため、目隠し板２０には、塗装金属板２１の凹凸の形状に高精度に同調する模様や絵をインクジェット印刷によって描くことができる。従って、目隠し板２０には凹凸模様に合わせた立体感や質感が充分に表現されるため、さらに目隠し板２０の意匠性を高めることができる。一方、従来のように、目隠し板２０にフィルムを貼る方法を用いる場合、フィルムの模様を凹凸の形状に合わせるのは困難であり、また、エンボス加工された塗装金属板１の上にフィルムを貼りつける場合はフィルムが剥がれやすくなり、耐久性も低下してしまう。
【００３１】
なお、実施の形態において、印刷層２はインクジェット印刷によって形成される場合に限定されず、フレキソ印刷又はグラビアオフセット印刷によって形成されてもよい。
また、高耐食めっき鋼板１ａ，２１ａの表面には下塗り塗膜や化成処理被膜が形成され、その上にインキ受理層１ｂ，２１ｂが設けられてもよい。
また、金属製の基板は、高耐食めっき鋼板１ａ，２１ａにインキ受理層１ｂ，２１ｂが設けられる塗装金属板１，２１に限定されず、普通鋼板、ステンレス鋼板、アルミニウム板、銅板等であってもよい。
【００３２】
また、目隠し板１０，２０は、建築現場や工事現場で使用されるものに限定されず、屋外に設置されて、外側から内側への視線を遮るために用いられるものであればよく、例えば、駐車場や駐輪場の周囲を囲うために使用されるものであってもよい。
【符号の説明】
【００３３】
１，２１  塗装金属板（基板）、２  印刷層、３  クリア塗膜、３ａ  艶消し剤、１０，２０  目隠し板。
【図１】
2018003429.tif 000003
【図２】
2018003429.tif 000004
【図３】
2018003429.tif 000005
【図４】
2018003429.tif 000006